(57)【要約】【課題】後処理装置を複数連結した画像形成システムにおいては、その音声ガイダンス又は警告音の音量を、ウオームアップや、機器動作中のみ可変するだけでは、画像形成装置本体より最も遠い、後処理装置でのユーザー操作時、必要な音声ガイダンスが聞き取りにくい状況が発生する。【解決手段】画像形成装置又は後処理装置のいずれかに配置された、音声ガイダンス又は警告音の音声データを出力する音声出力部と、前記画像形成装置及び前記後処理装置に配置され、動作可能状態と異なる状態となったことを検知するセンサーと、前記画像形成装置及び前記後処理装置の動作を制御する制御部と、を有し、前記制御部は、前記センサーの信号に基づき、前記音声出力部の音量を制御する画像形成システムとする。【選択図】図１
2011180481.tif 000002
【特許請求の範囲】
【請求項１】
用紙に画像形成を行う画像形成装置と、
前記画像形成装置から排出された用紙に後処理を施す後処理装置と、を有する画像形成システムにおいて、
音声ガイダンス又は警告音を出力する音声出力部と、
前記画像形成装置及び前記後処理装置の動作を制御する制御部と、を有し、
前記制御部は、搬送する用紙の紙詰まりを検出した信号に基づき、用紙の紙詰まり位置と前記音声出力部との距離に応じて前記音声出力部の音量を制御することを特徴とする画像形成システム。
【請求項２】
用紙に画像形成を行う画像形成装置と、
前記画像形成装置から排出された用紙に後処理を施す後処理装置と、を有する画像形成システムにおいて、
音声ガイダンス又は警告音を出力する音声出力部と、
ユーザー操作により動作可能状態と異なる状態となったことを検知する複数の状態検知センサーと、
前記画像形成装置及び前記後処理装置の動作を制御する制御部と、を有し、
前記制御部は、前記状態検知センサーの信号に基づき、ユーザー操作位置と前記音声出力部との距離に応じて前記音声出力部の音量を制御することを特徴とする画像形成システム。
【請求項３】
用紙に画像形成を行う画像形成装置と、
前記画像形成装置から排出された用紙に後処理を施す後処理装置と、を有する画像形成システムにおいて、
音声ガイダンス又は警告音を出力する音声出力部と、
複数の人感センサーと、
前記画像形成装置及び前記後処理装置の動作を制御する制御部と、を有し、
前記制御部は、前記画像形成装置及び前記後処理装置の動作不可能時に前記人感センサーが検知したユーザー位置と前記音声出力部との距離に応じて、前記音声出力部の音量を制御することを特徴とする画像形成システム。
【請求項４】
前記制御部は、前記音声出力部の音量を距離に応じて変更できる調整手段を有することを特徴とする請求項１、２、又は３に記載の画像形成システム。
【発明の詳細な説明】
【技術分野】
【０００１】
本発明は、後処理装置を備えた画像形成システムに関するものである。
【背景技術】
【０００２】
従来技術として、近年、多くの家庭用電機機器やファクシミリ等、さまざまな機器に音声警告や、音声ガイダンスを組み込み、機器を間違いなく便利に利用できるような提案がなされている。そのような中、特許文献１のように画像形成装置へ、装置の稼動状態に応じ音声出力音量を可変する検討がなされている。
【先行技術文献】
【特許文献】
【０００３】
【特許文献１】特開２００５−２１９４６０号公報
【発明の概要】
【発明が解決しようとする課題】
【０００４】
高速に大量の印刷が可能な画像形成装置では、印刷完了した用紙の後処理として、表紙挿入、冊子作成、中折中綴じ、穴あけ、糊付け製本等を画像形成システムとして自動で処理するものが多い。これら後処理装置が利用可能な画像形成システムは後処理装置を複数連結可能な形態が多く、画像形成装置本体からの後処理装置までの距離も長くなっている。
【０００５】
これら後処理装置を複数連結した画像形成システムにおいては、その音声ガイダンス又は警告音の音量を、特許文献１の提案のように、ウオームアップや、機器動作中など稼動状態に応じ可変するだけでは不十分である。すなわち、画像形成装置本体より最も遠い、後処理装置でのユーザー操作時、必要な音声ガイダンスが聞き取りにくい状況が発生する。
【０００６】
本発明は、上記問題に鑑み、画像形成装置本体にセットしてある、スピーカーからの音声ガイダンス又は警告音を、どこの後処理装置の前にいても正確に聞き取る事のできる画像形成システムを提供することを目的とするものである。
【課題を解決するための手段】
【０００７】
上記の課題は、下記の構成により達成される。
【０００８】
１．用紙に画像形成を行う画像形成装置と、
前記画像形成装置から排出された用紙に後処理を施す後処理装置と、を有する画像形成システムにおいて、
音声ガイダンス又は警告音を出力する音声出力部と、
前記画像形成装置及び前記後処理装置の動作を制御する制御部と、を有し、
前記制御部は、搬送する用紙の紙詰まりを検出した信号に基づき、用紙の紙詰まり位置と前記音声出力部との距離に応じて前記音声出力部の音量を制御することを特徴とする画像形成システム。
【０００９】
２．用紙に画像形成を行う画像形成装置と、
前記画像形成装置から排出された用紙に後処理を施す後処理装置と、を有する画像形成システムにおいて、
音声ガイダンス又は警告音を出力する音声出力部と、
ユーザー操作により動作可能状態と異なる状態となったことを検知する複数の状態検知センサーと、
前記画像形成装置及び前記後処理装置の動作を制御する制御部と、を有し、
前記制御部は、前記状態検知センサーの信号に基づき、ユーザー操作位置と前記音声出力部との距離に応じて前記音声出力部の音量を制御することを特徴とする画像形成システム。
【００１０】
３．用紙に画像形成を行う画像形成装置と、
前記画像形成装置から排出された用紙に後処理を施す後処理装置と、を有する画像形成システムにおいて、
音声ガイダンス又は警告音を出力する音声出力部と、
複数の人感センサーと、
前記画像形成装置及び前記後処理装置の動作を制御する制御部と、を有し、
前記制御部は、前記画像形成装置及び前記後処理装置の動作不可能時に前記人感センサーが検知したユーザー位置と前記音声出力部との距離に応じて、前記音声出力部の音量を制御することを特徴とする画像形成システム。
【００１１】
４．前記制御部は、前記音声出力部の音量を距離に応じて変更できる調整手段を有することを特徴とする前記１、２、又は３に記載の画像形成システム。
【発明の効果】
【００１２】
本発明によれば、画像形成システムに設けたスピーカーからの音声ガイダンス又は警告音の音量を制御することにより、画像形成システムの周辺のどの位置においてもユーザーが音声ガイダンス又は警告音を正確に聞き取る事のできる画像形成システムを提供することが可能となる。
【図面の簡単な説明】
【００１３】
【図１】本実施の形態に係る画像形成システムの全体構成図である。
【図２】本実施の形態に係る画像形成装置の制御構成を示すブロック図である。
【図３】本実施の形態に係る音声出力制御フローチャート図である。
【図４】ジャム位置とスピーカー間距離算出図である。
【図５】操作位置とスピーカー間距離算出図である。
【図６】機能設定画面のスピーカー間距離による出力音量調整画面である。
【発明を実施するための形態】
【００１４】
以下、実施の形態により本発明を詳しく説明するが、本発明はこれに限定されるものではない。
【００１５】
本発明の実施例である画像形成システムの全体構成を図１によって説明する。図１は、画像形成装置本体Ａと大容量給紙装置ＬＴと後処理装置ＦＳ１、ＦＳ２、ＦＳ３を有する画像形成システムの全体構成図である。
【００１６】
図１において、大容量給紙装置ＬＴは、３段の給紙部Ｌ１、Ｌ２、Ｌ３を有し、夫々の給紙部の最上位の用紙を１枚ずつ画像形成装置本体Ａの搬送路に供給する給紙部材を有している。
【００１７】
画像形成装置本体Ａは、自動原稿搬送装置ＡＤＦ、及び画像読取部ＳＣを上部に、下部に画像形成部ＩＦと用紙給紙部１とを有している。画像読取部ＳＣの上面には、操作パネルＯＰが設けられ、操作パネルＯＰは、ＬＣＤの表示画面上にタッチパネルを重ねた構造で、表示画面の表示を見ながらタッチパネルを押すことにより各種設定や操作の入力を行うことができる。
【００１８】
用紙給紙部１は、複数の給紙部１ａ、１ｂ、１ｃを有する。用紙は、給紙部１ａ、１ｂ、１ｃ或いは、大容量給紙装置ＬＴの給紙部Ｌ１、Ｌ２、Ｌ３から供給され、この用紙に、画像形成部ＩＦは電子写真プロセスにより感光体２上に形成されたトナー像を転写する。転写された画像は定着装置３によって定着され、排紙ローラ４により排紙口から排出される。両面複写の場合は、用紙は、排紙ローラ４の手前で下方に搬送され、用紙を反転する両面搬送路５を経て再び転写位置に戻され、裏面に画像形成される。
【００１９】
なお本例では、画像形成装置本体Ａはモノクロ画像を形成する画像形成装置としているが、カラー画像を形成する画像形成装置であってもよい。
【００２０】
次に、後処理装置ＦＳ１、ＦＳ２、ＦＳ３の構成を簡単に説明するが、後処理機構そのものは公知のため、本出願に関係するところを説明する。
【００２１】
第１の後処理装置ＦＳ１は、折り処理を行う後処理機であり、上部に、カバーシートやインサート用紙を挿入する２つの挿入紙トレイ１０、１１と、折り処理を行なった場合に用紙を排出するサブ排出トレイＳＴ１を備えている。下部に、用紙にパンチ穴を穿孔するパンチ処理部１２と、中折り、Ｚ折り、外三つ折り、内三つ折り、内四つ折り（観音折りとも称す）、ダブルパラレル折り等の各種の折り処理部１３とを有している。
【００２２】
後処理装置ＦＳ１は、これらの処理を行うため、複数の用紙の搬送路と搬送路の切替部材を有しており、後処理を指定された用紙は、入口部１４の下流から下方に分岐する搬送路ｒ１０を通ってパンチ処理部１２、折り処理部１３に向かう。また、挿入紙トレイ１０、１１からの搬送路ｒ１１が、入口部１４と搬送路ｒ１０の分岐点の間で搬送路に合流しており、挿入紙を画像形成された用紙の表裏、または間に挿入できる。この挿入紙も搬送路ｒ１０に送って後処理することが可能である。
【００２３】
入口部１４から水平に延びる搬送路ｒ１２は、第２の後処理装置ＦＳ２に用紙を案内するか、若しくは出口部の手前で上方に分岐する搬送路ｒ１３を通って用紙をサブ排出トレイＳＴ１に排出する際に用いられる。また、この搬送路ｒ１３の分岐点の手前で、パンチ処理部１２、折り処理部１３で後処理された用紙の搬送路が合流している。折り処理された用紙は、搬送路ｒ１３を通ってこのサブ排出トレイＳＴ１に排出される。
【００２４】
第２の後処理装置ＦＳ２は、中綴じを行う後処理機であり、入口部２０からの用紙は、下方に向かう搬送路ｒ２０と上方に向かう搬送路ｒ２１とのいずれかに分岐して搬送される。下方に向かう搬送路ｒ２０を搬送される用紙は、後から送られる用紙と重ね合わされて複数枚の用紙束となり、中折り処理部２５により、用紙束を中折りする。
【００２５】
中折りされた用紙束は、ベルト部材２４により図面左方向に搬送され、中綴じ処理部２６で、複数枚からなる用紙束を中綴じする。中綴じされた用紙束は、小口断裁処理部２７により小口を断裁された後、排出トレイ２８に排出される。排出トレイ２８は手前に引き出せるよう構成されており、中綴じされた用紙束を装置手前側から取り出せるようになっている。
【００２６】
一方、入口部２０の下流から上方に向かう搬送路ｒ２１を搬送される用紙は、途中で搬送路ｒ２２に分岐してサブ排出トレイＳＴ２に排出されるか、搬送路ｒ２３を通って後続の後処理装置ＦＳ３に送られる。
【００２７】
第３の後処理装置ＦＳ３は、用紙の束に平綴じを行う後処理機である。後処理装置ＦＳ３の入口部３０下流で搬送路は左方に向かう搬送路ｒ３０と上方に向かう搬送路ｒ３１に分岐しており、搬送路ｒ３１は、さらにサブ排出トレイＳＴ３に向かう搬送路ｒ３２と、メイン排出トレイ３１に向かう搬送路ｒ３３に分岐している。サブ搬出トレイＳＴ３は、後処理装置ＦＳ３で後処理を行わない場合や少量の用紙を排出する。一方、メイン排出トレイ３１は、後処理を行った場合と、すべての後処理装置で後処理を行わなくても枚数が大量の場合とに用紙を排出するもので、大量の用紙を集積できるように昇降可能に構成されている。
【００２８】
搬送路ｒ３０の下流には平綴じを行うための用紙スタッカ３２とステープル機構３３が配置され、搬送路ｒ３０を進む用紙は、用紙スタッカ３２上に複数枚積載され、所定枚数の用紙が積載されると、ステープル機構３３により平綴じされる。平綴じされた用紙は、用紙スタッカ３２の一部を構成するベルト３４に設けられた搬送爪により後端を保持されて上方に送られ、メイン排出トレイ３１に排出される。
【００２９】
以上の画像形成装置で行うことの出来る後処理と搬送路の関係を整理して示すと、次のようになる。
・パンチ処理、折り処理の場合・・・入口部１４→搬送路ｒ１０→パンチ処理部１２→折り処理部１３→搬送路ｒ１３→サブ排出トレイＳＴ１
・中綴じ処理の場合・・・入口部１４→搬送路ｒ１２→入口部２０→搬送路ｒ２０→中折り処理部２５→中綴じ処理部２６→小口断裁処理部２７→排出トレイ２８
・平綴じ処理の場合・・・入口部１４→搬送路ｒ１２→入口部２０→搬送路ｒ２１→搬送路ｒ２３→入口部３０→搬送路ｒ３０→平綴じ処理部３２、３３→メイントレイ３１
・後処理を行わない場合・・・入口部１４→搬送路ｒ１２→入口部２０→搬送路ｒ２１→搬送路ｒ２３→入口部３０→搬送路ｒ３１→搬送路ｒ３３→メイントレイ３１
なお、本実施例で示す各搬送路はそれぞれ独立して駆動可能に構成されている。
【００３０】
図２は本発明の画像形成装置の制御構成を示すブロック図であり、画像形成装置本体Ａ、後処理装置ＦＳ１、ＦＳ２、ＦＳ３が夫々の持つシリアル通信部で交信して制御を行う。なお、後処理装置ＦＳ２、ＦＳ３の制御構成は、後処理装置ＦＳ１とほぼ同一なので、簡略化して図示している。
【００３１】
図２で示すように、画像形成装置本体Ａは、画像形成装置制御部１００（以下、制御部１００と略記する）を有し、この制御部１００は、操作パネルＯＰからの入力情報に基づき、用紙を給送する用紙給紙部１を制御し、搬送部でペーパーセンサの信号入力を利用し用紙を搬送させる。更に、画像読取部ＳＣを制御して原稿画像を読取り、画像形成部ＩＦを制御してトナー画像を搬送される用紙に形成する。更に、シリアル通信部１０２を介して制御情報が交換され、後処理内容の指示や、後処理装置ＦＳ１の状態を監視し、指示された後処理を完了させる。
【００３２】
更に、操作パネルＯＰ内には、音声ガイダンス又は警告音の音声データ１０５の音声出力部１０６として音声出力回路とスピーカーＳＰが設けられ、画像形成システムでのユーザーへの警告音や各種音声ガイダンスを出力できるようになっている。音声出力回路は、スピーカーＳＰへの出力を制御部１００の指示により可変可能な構成になっている。この音声出力部１０６とスピーカーＳＰは一例として操作パネルＯＰ内に設置しているが、画像形成装置本体内の他の箇所、後処理装置、又は大容量給紙装置に設置してもよい。
【００３３】
なお、ネットワークに接続されたコンピュータからのプリント指示は、ＬＡＮインターフェイス１０１（以下、ＬＡＮ  ＩＦ１０１と略記する）から受信し、同様に用紙搬送、画像形成、後処理を行うことが出来る。
【００３４】
後処理装置ＦＳ１は、後処理装置制御部１１０（以下、制御部１１０と略記する）を有し、この制御部１１０は、制御部１００からシリアル通信部１１１を介して制御情報を入手し、後処理を指示されている場合は、用紙を後処理部に導く搬送路ｒ１０に切り替えるとともに、搬送部、後処理部と挿入紙トレイを制御して用紙に後処理を行う。また、シリアル通信部１１１を介して、後処理装置の状態を制御情報として制御部１００へ通知している。後処理を指示されていない場合は、用紙を以降の後処理装置ＦＳ２、ＦＳ３へ導く搬送路ｒ１２に切り替えるとともに、シリアル通信部１１２を経由し、制御情報を以降の後処理装置へ引き継ぐ。後処理装置ＦＳ２、ＦＳ３の後処理装置制御部１２０、１３０も同様である。
【００３５】
なお、本実施例においては、制御部１００及び後処理装置制御部１１０、１２０、１３０の少なくとも１つが一体となったものが、本願発明における「制御部」に該当する。
【００３６】
画像形成装置本体Ａの制御部１００には、画像形成装置本体Ａ内の搬送路に配置される複数のペーパーセンサ１０３からの検知信号が入力され、この検知信号を基に用紙を搬送して、印刷を指示どおりに実施する。後処理装置ＦＳ１内にも同様に複数のペーパーセンサ１１３が設けられており、これらペーパーセンサからの検知信号により、制御部１１０は、画像形成装置Ａ同様に、用紙を指示どおりに処理する。
【００３７】
後処理装置ＦＳ１で発生した紙詰まり（以下、ジャムと略記する）は、制御部１１０からシリアル通信部１１１、１０２を介して制御部１００に通知され、制御部１００及び制御部１１０は、用紙の状態を確認するとともに、画像形成システムの用紙搬送を停止することなく、後処理装置ＦＳ１のサブ排出トレイＳＴ１へ用紙の自動排出処理を開始する。同時に、ジャム発生位置を把握しユーザーへのジャム位置表示とジャム紙除去ガイダンスを操作パネルＯＰに表示し、それと共にスピーカーＳＰにより音声出力することが出来る。後処理装置ＦＳ２、ＦＳ３のペーパーセンサと制御部１２０、１３０も同様である。
【００３８】
図１の画像形成装置本体Ａ、及び後処理装置ＦＳ１、ＦＳ２、ＦＳ３の搬送路には、複数のペーパーセンサが模式的に三角のマーク（▲）で示されている。勿論、この三角マークは模式的に示したものであり、正確な位置ではない。ペーパーセンサは、搬送路を進行する用紙の先端、後端を検知して制御部１００、１１０、１２０、１３０に信号を送る。すなわち、それぞれの制御部は、搬送路のペーパーセンサで画像形成装置本体Ａ、及び後処理装置ＦＳ１、ＦＳ２、ＦＳ３内の複数の用紙の位置を把握することができる。
【００３９】
また、本実施例では画像形成装置本体Ａに後処理装置として、ＦＳ１、ＦＳ２、ＦＳ３と３種類の後処理装置を直列に接続した画像形成装置の例を説明したが、それぞれ単独又は複数で画像形成装置本体Ａに接続し画像形成装置として利用することも、勿論可能である。
【００４０】
更に、後処理装置は３種類に限らず、必要なだけ接続して利用することも、勿論可能である。
【００４１】
次に、図３の音声出力制御フローチャートを用いて本発明の概要を説明する。複数の後処理装置を連結した画像形成システムが動作可能状態の場合（ステップＳ０１：Ｙｅｓ）は、操作パネルＯＰ又は、ネットワークに接続されたコンピュータから要求された画像形成動作と後処理動作を開始する（ステップＳ０２）。画像形成動作及び後処理動作中に、ジャム発生が無ければ（ステップＳ０３：Ｎｏ）、ステップＳ０７へジャンプし、タイマーＴの動作完了を確認する。
【００４２】
ジャムが発生（ステップＳ０３：Ｙｅｓ）すると、操作パネルＯＰに設置してあるスピーカーＳＰから、ジャム発生位置までの距離を表１に基づき算出する（ステップＳ０４）。
【００４３】
以下に示す表１は、画像形成装置Ａと後処理装置ＦＳ１〜３それぞれの全幅及び、ジャム発生位置までの各装置の正面から向かって左側を基準とした距離を表にしたものである。
【００４４】
【表１】
2011180481.tif 000003
【００４５】
算出方法は、図４のジャム位置とスピーカーＳＰ間距離算出図を用いて説明する。たとえば、後処理装置ＦＳ３でジャムが発生し、その場所が用紙スタッカ３２（図１参照）だとすると、表１よりユニット名でＦＳ３の、ジャム位置として用紙スタッカを探すと、用紙スタッカＬ５１として距離４００ｍｍが得られる。図４でＦＳ３内の用紙スタッカの位置をＬ５１として示すと、操作パネルＯＰに設置してあるスピーカーＳＰとＬ５１間の距離Ｌ０は、Ｌ１＋Ｌ２＋Ｌ３＋Ｌ４＋（Ｌ５−Ｌ５１）となり、３２９０ｍｍとなる。
【００４６】
ジャム位置と操作パネルＯＰのスピーカーＳＰ間の距離が算出されると、以下に示す表２によりスピーカーＳＰの音量が決定される（ステップＳ０５）。
【００４７】
【表２】
2011180481.tif 000004
【００４８】
ＦＳ３の用紙スタッカでのジャムＬ５１の場合は、３２９０ｍｍなのでスピーカーＳＰの音量は基準音量に対し＋４の音量での出力になる。音量が決定されると、ユーザーへの警告音やジャム処理の音声ガイダンスは、決定された音量で操作パネルＯＰのスピーカーＳＰより出力される（ステップＳ０６）。これら警告音や音声ガイダンスは、制御部１００に接続された音声データ１０５に電子データとしてメモリーされていて、ジャム位置に合わせて必要な音声ガイダンスを制御部１００が選択して、音声出力部１０６へ出力する。
【００４９】
ユーザーへの警告音やジャム処理の音声ガイダンスが出力されると同時に、設定時間ｎのタイマーＴを動作開始させる（ステップＳ０６）。このタイマーＴは、警告音やジャム処理の音声ガイダンスを設定された音量で設定時間出力させるためであり、このタイマーＴが設定時間動作完了すると（ステップＳ０７：Ｙｅｓ）、操作パネルＯＰ内のスピーカーＳＰの出力音量を標準値へ戻す（ステップＳ０８）。タイマーＴが動作完了しなければ（ステップＳ０７：Ｎｏ）、操作パネルＯＰ内のスピーカーＳＰの出力音量はステップＳ０６で設定した音量で出力され続ける。
【００５０】
一方、機械が動作不可能状態時（ステップＳ０１：Ｎｏ）は、機械動作不可能となっている要因の解除のため、ユーザーによる前扉の開閉や、動作不可能状態となっている要因ユニットの操作などの機械操作を、状態検知センサーで確認する。状態検知センサーは、扉開閉や、圧接している搬送ローラの圧接解除に伴う機械構成の動きを検知するセンサーであり、例えば光学センサーとアクチュエータとの組み合わせにより構成される。ユーザーによる機械操作が無ければ（ステップＳ０９：Ｎｏ）、画像形成システムは印刷動作不可能状態のままであり、ステップＳ０７のタイマーＴ動作完了確認へジャンプする。
【００５１】
ユーザーによる機械操作を、状態検知センサーで検出した場合（ステップＳ０９：Ｙｅｓ）は、操作パネルＯＰ内のスピーカーＳＰから、そのユーザー操作位置までの距離を表３に基づき算出する。
【００５２】
以下に示す表３は、画像形成装置Ａと後処理装置ＦＳ１〜３それぞれの全幅及び、ユーザー操作箇所までの各装置の正面から向かって左側を基準とした距離を表にしたものである。
【００５３】
【表３】
2011180481.tif 000005
【００５４】
算出方法は、図５のユーザー操作箇所とスピーカーＳＰ間距離算出図を用いて説明する。たとえば、後処理装置ＦＳ３でステープル機構３３（図１参照）での針が無い事が検出されると、表３よりユニット名でＦＳ３の、操作箇所としてステープル機構３３を探し、ステープル機構Ｌ５０３として距離６００ｍｍが得られる。図５でＦＳ３内のステープル機構の位置をＬ５０３として示すと、操作パネルＯＰに設置してあるスピーカーＳＰとＬ５０３間の距離Ｌ０は、Ｌ１＋Ｌ２＋Ｌ３＋Ｌ４＋（Ｌ５−Ｌ５０３）となり、３０９０ｍｍとなる。
【００５５】
操作箇所と操作パネルＯＰのスピーカーＳＰ間の距離が算出されると、ジャム位置のときと同じく、ステップ０５にジャンプし表２によりスピーカーＳＰの音量が＋４と決定され、ステップＳ０６以降ジャム発生と同じ処理が行われる。
【００５６】
これら、表１及び表３と表２に示した基準からの距離や、音量の変化量やタイマーＴの動作時間はあくまで一例であり、本発明の目的とする、操作者が明瞭に警告音や音声ガイダンスを聞き取れるように変更可能としている。
【００５７】
ここで、操作パネルＯＰ内スピーカーＳＰとユーザー間の距離により、スピーカー音量の調整手段を、図６の機能設定画面のスピーカー間距離による出力音量調整画面で説明する。図６は操作パネルＯＰに表示される画面で、変更は操作パネルＯＰのタッチパネルを用いて行う。まずは、本機能を有効にするか無効にするかを選択する。スピーカー間距離による出力音量調整を実施する場合は有効釦を押し、スピーカー間距離による出力音量調整を実施しない場合は、無効釦を押す。無効釦が押されると、本画面でいかなる設定をしてもその設定は利用されない。
【００５８】
変更は、スピーカー間距離とその距離範囲内でのスピーカー出力音量であり、それぞれの数値は、画面右側のテンキーにより変更し、画面右下のＯＫ釦で確定させる。
【００５９】
図６では一例として、１０００ｍｍ以内と、１００１ｍｍから１５００ｍｍ、１５０１ｍｍから２０００ｍｍ、２００１ｍｍから３０００ｍｍ、３００１ｍｍ以上を距離範囲として、１０００ｍｍ以内は出力音量変更なし。以降、各距離範囲で出力音量を＋１ステップずつ増加させている。これら距離範囲とステップ値を、画面上のテンキーでそれぞれ個別に容易に変更できる。なお、出力音量は便宜上ステップ方式を用いたが、連続可変ボリューム方式で設定することも可能である。
【００６０】
本実施例では、画像形成システムで、偶発的に発生するジャムの位置によりユーザーが操作する場所を予測し、必要なジャム紙除去の音声ガイダンスをユーザーに明瞭に聞こえるように出力音量を設定し音声出力する。更に、画像形成システムとして異常解除のため、ユーザーによる操作が必要な場合は、ユーザーが画像形成システムの機内アクセス扉や機内の操作レバーを開閉又は操作したことを、状態検知センサーで検知する。ユーザー操作位置が決定されると、ユーザーに操作手順を明瞭に聞こえるように出力音量を設定し音声ガイダンスとして出力することで、ミスの無いユーザーによる異常解除処理を可能としている。
【００６１】
さらに本実施例ではジャム発生位置や操作箇所を、もともと画像形成装置や後処理装置が有する用紙搬送検知センサーや状態検知センサーを利用して実施したが、ユーザー位置を検出するために人感センサーを利用しても良い。近年は防犯や照明機器に広く活用されている人感センサーを画像形成装置や後処理装置の必要な箇所に複数設置し、ジャム発生時や異常解除のためユーザーによる操作が必要な場合に、人感センサー信号を利用してユーザーの居る位置を検出し最適音量で必要な音声ガイダンスを出力する。
【００６２】
以上説明した、音声ガイダンスや警告音のスピーカーＳＰからの出力を無効としたり、画像形成システムの設置環境により、スピーカーＳＰからの距離とスピーカーＳＰ出力音量は、ユーザーにより操作パネルＯＰにて容易に変更可能である。
【符号の説明】
【００６３】
Ａ  画像形成装置本体
ＬＴ  大容量給紙装置
ＦＳ１，ＦＳ２，ＦＳ３  後処理装置
ＯＰ  操作パネル
ＳＰ  スピーカー
Ｔ  タイマー
３２  用紙スタッカ
３３  ステープル機構
１００  画像形成装置制御部
１０５  音声データ
１０６  音声出力部
【図１】
2011180481.tif 000006
【図２】
2011180481.tif 000007
【図３】
2011180481.tif 000008
【図４】
2011180481.tif 000009
【図５】
2011180481.tif 000010
【図６】
2011180481.tif 000011